(57)【要約】      （修正有）【課題】椅子などに腰掛けた姿勢で効果的な施療行為を楽に行うことができ、しかも軽量で安価な足裏マッサージ器を提供する。【解決手段】外周面が凹凸に形成されたマッサージ体をその外周面が床面１２に接する状態で床面１２を転動自在に支持軸に支持させるとともに、支持軸に該支持軸の方向に対して交差する方向に延びる柄６を取り付ける。使用に際しては、被施療者１０は椅子１１に腰掛け、柄６の一部を手で掴んで確保した足裏マッサージ器１Ａを、支持軸が被施療者１０に対しほぼ平行で、マッサージ体が被施療者１０の正面足元の床面１２に接するように設置する。その状態で、マッサージ体の上に足を載せ、その足を前後に動かしてマッサージ体を床面１２上で転動させる。【選択図】図２
2006212250.tif 000002
【特許請求の範囲】
【請求項１】
外周面が凹凸に形成されたマッサージ体をその外周面が床面に接する状態で床面を転動自在に支持軸に支持させるとともに、前記支持軸に該支持軸の方向に対して交差する方向に延びる柄を取り付けたことを特徴とする足裏マッサージ器。
【請求項２】
マッサージ体の外周面が床面に接する状態で柄を上方に起立させたときに、柄の先端部が椅子に腰掛けた人のほぼ胸の高さになる請求項１に記載の足裏マッサージ器。
【発明の詳細な説明】
【技術分野】
【０００１】
この発明は、手軽に足裏をマッサージすることのできる足裏マッサージ器に関する。
【背景技術】
【０００２】
足裏には各臓器と連係する神経のツボが集中しており、ここをマッサージにより刺激すると各臓器の働きが活性化して健康増進に効果があることが知られている。そこで、休憩時やテレビを見ている時などに気軽に足裏をマッサージするための簡便な健康器具として、略半円筒形をしたマッサージ体の上面に足裏を当接させ、青竹踏みの要領で足裏に加重することにより足裏をマッサージするもの（例えば特許文献１）や、ローラー状のマッサージ体の上に足を載せ、足を前後に動かしてマッサージ体を回転させながら足裏をマッサージするもの（例えば特許文献２）が提案されている。
【特許文献１】特開２０００―８４０３４号公報
【特許文献２】特開２００１―２８６５２３号公報
【発明の開示】
【発明が解決しようとする課題】
【０００３】
上記従来の足裏マッサージ用健康器具には、下記の問題点があった。特許文献１に代表されるタイプは、足裏に充分な加重をするためには立ち姿勢で青竹踏み運動を行わねばならないので、つい億劫になって施療行為を怠りがちになりやすく、また施療時の姿勢が不安定であることにより転倒などの事故が起きやすかった。また、特許文献２に代表されるタイプは、椅子などに腰掛けた姿勢で楽に施療できるという利点がある反面、構造が比較的複雑であるとともに、足の前後動に連れて健康器具自体が動かないように重量がある程度重くなっているので、価格が高めであり、かつ持ち運びが面倒であった。
【０００４】
本発明は、上記従来の足裏マッサージ用健康器具の問題点を改善し、椅子などに腰掛けた楽な姿勢で効果的な施療行為を行うことができ、しかも軽量で安価な足裏マッサージ器を提供することを課題としている。
【課題を解決するための手段】
【０００５】
上記課題を解決するために、本発明は次の構成とした。すなわち、請求項１に記載の足裏マッサージ器は、外周面が凹凸に形成されたマッサージ体をその外周面が床面に接する状態で床面を転動自在に支持軸に支持させるとともに、前記支持軸に該支持軸の方向に対して交差する方向に延びる柄を取り付けたことを特徴としている。
【０００６】
被施療者は椅子に腰掛け、柄の一部を手で掴んで確保した足裏マッサージ器を、支持軸が被施療者に対しほぼ平行で、マッサージ体が被施療者の正面足元の床面に接するように設置する。その状態で、マッサージ体の上に足を載せ、その足を前後に動かしてマッサージ体を床面上で転動させる。マッサージ体が転動する際に、マッサージ体の外周面に形成されている凹凸により足裏がマッサージされる。柄を手で掴んでいるため、マッサージ体の位置が安定して該マッサージ体から足が外れにくく、しかも足の裏を適度の角度及び圧力でマッサージ体に押し付けることができ、常に良好な状態で施療行為を行うことができる。
【０００７】
請求項２に記載されているように、マッサージ体の外周面が床面に接する状態で柄を上方に起立させたときに、柄の先端部が椅子に腰掛けた人のほぼ胸の高さになるように構成すると、柄が必要以上に長くならず、柄を手で掴むのにちょうど具合がよい。
【発明の効果】
【０００８】
本発明にかかる足裏マッサージ器は、施療時に手で掴んでマッサージ体の位置及び角度を調節することのできる柄を設けることにより、常に良好な状態で施療行為を行うことができ、さらに構成が簡略であるので、軽量かつ安価に提供できるものとなった。
【発明を実施するための最良の形態】
【０００９】
外周面が凹凸に形成されたマッサージ体として、ゴルフボールのロストボールを有効利用する。
【実施例１】
【００１０】
図１は本発明の実施例を表す斜視図であって、この足裏マッサージ器１Ａは、断面円形の支持軸２の両端に２個ずつ回転自在に支持された計４個のゴルフボール３をマッサージ体としている。マッサージ体であるゴルフボール３は、その中心を通るように穿設された通孔（図示せず）に支持軸２を挿通することにより回転自在に支持されるとともに、止めリング４及びダブルナット５により支持軸２の軸方向への移動及び支持軸２からの抜け落ちが規制されている。両側２個ずつのゴルフボールの間隔Ｗは、人の肩幅程度に設定されている。このマッサージ体用のゴルフボールとしてゴルフ場などで発生するロストボールを使用すれば経済的である。
【００１１】
前記支持軸２の中央部には、長尺な柄６の基部６ａが固定状態で取り付けられている。柄６は支持軸２に対し直角に取り付けられ、その先端部に手で掴むのに好適なグリップ部６ｂが嵌着されている。柄６の長さＬは、各ゴルフボール３の外周面が床面に接する状態で柄６を上方に起立させたときに、柄６の先端部が椅子に腰掛けた人のほぼ胸の高さになるように設定しておくとよい。
【００１２】
次に、この足裏マッサージ器１Ａの使用方法を説明する（図２参照）。
被施療者１０は椅子１１に腰掛け、柄６のグリップ部６ｂを手で掴んで確保した足裏マッサージ器１Ａを、支持軸２が被施療者１０に対しほぼ平行で、各ゴルフボール３，…が被施療者１０の正面足元の床面１２に接するように設置する。このとき、柄６は床面１２からほぼ垂直に起立した状態となっている。その状態で、左右２個ずつのゴルフボール３の上に左右両足をそれぞれ個別に載せ、足を前後に動かしてゴルフボール３を床面１２上で転動させる。ゴルフボール３が転動する際、ゴルフボール３の外周面に形成されている凹凸により足裏が揉み解されてマッサージされる。柄６を手で掴んでいることにより、各ゴルフボール３の位置が安定するので、ゴルフボール３から足が外れにくい。また、柄６を掴んでいる手を適当に操作することにより、ゴルフボール３に接する足裏の角度及び圧力を調節することができ、常に良好な状態で施療行為を行うことができる。
【実施例２】
【００１３】
図３は異なる実施例を表す斜視図であって、この足裏マッサージ器１Ｂは、柄６が支持軸２の一方の端部に取り付けられていることを除けば、前記足裏マッサージ器１Ａと同じ構成である。同じ名称又は同じ構成の箇所については、前記足裏マッサージ器１Ａと同一記号を付して表している。また、使用方法も前記足裏マッサージ器１Ａと同様である。
【産業上の利用可能性】
【００１４】
上記実施例１，２に示す足裏マッサージ器は主に足裏を揉み解すマッサージ効果によって施療するものであるが、本発明によるところの柄を設けるという構成は、主に足裏のツボを圧迫して施療する健康器具にも適用することができる。
【図面の簡単な説明】
【００１５】
【図１】足裏マッサージ器の斜視図である。（実施例１）
【図２】足裏マッサージ器の使用状態を示す正面図である。（実施例１）
【図３】足裏マッサージ器の斜視図である。（実施例２）
【符号の説明】
【００１６】
１Ａ，１Ｂ  足裏マッサージ器
２  支持軸
３  ゴルフボール（マッサージ体）
６  柄
【図１】
2006212250.tif 000003
【図２】
2006212250.tif 000004
【図３】
2006212250.tif 000005